(57)【要約】      （修正有）【課題】靴紐などの紐の締め具合を調整するためのノブ装置を提供する。【解決手段】ノブ装置は、ノブ１、ラチェットギアリング２、リールハウジング３、リール４、ベース５及び靴紐を含む。ベースは、アッパーの側面又はベロの上面に縫い付けられる。ノブの内側の円周に留め部が設けられる。リールハウジングの円周に複数の角孔が設けられる。リールハウジングの外側の円の下部に複数の第１紐通し孔がある。リールの中央部にワイヤ溝がある。リールには複数の紐通し孔が設けられる。リールの底部の中央にカウンタボア構造がある。ギヤリングには、ギヤリングの回転を阻止できる係止ギヤが設けられる。リールハウジングには、ギヤリングに設けられた係止ギヤに対応する阻止機構が設けられる。リールハウジングのラチェット爪アームが逆方向に力を受けると、ラチェット爪アームも遠心方向に変形し、ラチェット爪アームのラチェット爪ギヤはラチェットギヤと密着し、円周ギヤは爪アームのラチェットギヤ歯と密着する。【選択図】図１
0003230163.tif 000002
【実用新案登録請求の範囲】
【請求項１】
リール（４）及びベース（５）を含むノブ装置であって、ノブ（１）と、ギヤリング（２）と、リールハウジング（３）とをさらに含み、ギヤリング（２）には、ギヤリング（２）の回転を阻止できる係止ギヤが設けられ、リールハウジング（３）には、ギヤリング（２）に設けられた係止ギヤに対応する阻止機構が設けられ、ノブ（１）とリール（４）の両方に、ノブ（１）とリール（４）を押して回転させ得る係合構造が設けられ、ノブ（１）とリール（４）の両方の係合構造には、互いに係合接続して固定される固定構造が設けられる、ことを特徴とするノブ装置。
【請求項２】
前記ノブ（１）、ギヤリング（２）、リールハウジング（３）、リール（４）及びベース（５）の組み合わせによりノブ装置が構成される、ことを特徴とする請求項１に記載のノブ装置。
【請求項３】
前記ギヤリング（２）はラチェットギヤリング（２）であり、係止ギヤはラチェットギヤ（２０１）であり、ラチェットギヤリング（２）の外周には幾つかのラチェットギヤ（２０１）があり、ラチェットギヤリング（２）には幾つかの位置決め孔（２０３）が設けられ、ラチェットギヤリング（２）の中心に円心（２０４）が設けられ、円心（２０４）の周りはギヤリング面（２０５）であり、前記ラチェットギヤ（２０１）がラチェット爪ギヤ（３０２）のラチェット爪ギヤ端面位置（３０３）と接触する面は、係止ギヤ端面位置（２０２）である、ことを特徴とする請求項２に記載のノブ装置。
【請求項４】
前記リールハウジング（３）はラチェット爪リールハウジング（３）であり、前記ラチェット爪リールハウジング（３）の阻止機構は、ラチェット爪アーム（３０１）、ラチェット爪ギヤ（３０２）及びラチェット爪ギヤ端面位置（３０３）により構成され、前記ラチェット爪リールハウジング（３）の係止ギヤはラチェット爪ギヤ（３０２）であり、前記ラチェット爪アーム（３０１）の頭部にラチェット爪ギヤ（３０２）があり、ラチェット爪ギヤ（３０２）の底面には、ラチェット爪アームの位置決めに使用される位置決めシリンダ（３０５）及び位置決めシリンダ（３０５）に適合する位置決め孔（３０４）がある、ことを特徴とする請求項３に記載のノブ装置。
【請求項５】
前記ギヤリング（２）はラチェット爪リングであり、ラチェット爪リングには幾つかの爪アーム（２０６）が設けられ、前記爪アーム（２０６）の根元部はラチェット爪リングに接続され、爪アーム（２０６）の末端にラチェットギヤ歯（２０７）があり、前記爪アーム（２０６）とラチェットギヤ歯（２０７）はラチェット爪リングの係止ギヤを構成し、ラチェット爪リングには幾つかの位置決め孔（２０３）が設けられ、ラチェット爪リングの中心に円心（２０４）が設けられ、円心（２０４）の周りはギヤリング面（２０５）であり、前記爪アーム（２０６）が円周ギヤ（３１１）と接触する面は、係止ギヤ端面位置（２０２）である、ことを特徴とする請求項２に記載のノブ装置。
【請求項６】
前記リールハウジング（３）は円周ギヤリールハウジング（３）であり、前記円周ギヤリールハウジング（３）の上部に１周の円周ギヤ（３１１）があり、前記円周ギヤ（３１１）は円周ギヤリールハウジング（３）の阻止機構である、ことを特徴とする請求項５に記載のノブ装置。
【請求項７】
前記リールハウジング（３）の外側の円エッジに１周の突起した円エッジ（３０６）があり、前記リールハウジング（３）の外側の円の下部には、大小２つの外向きの第１突起留め部（３１０）及び第２突起留め部（３０９）が設けられる、ことを特徴とする請求項４又は６に記載のノブ装置。
【請求項８】
前記ノブ（１）の係合構造は第１負荷リブ（１０３）であり、ノブ（１）の係合構造に設けられた固定構造は凹部構造（１０４）である、ことを特徴とする請求項１に記載のノブ装置。
【請求項９】
前記ノブ（１）の内側の円の中心位置には、幾つかのセグメントに分割された円環リブ構造（１０２）があり、前記ノブ（１）の係合構造は、第１負荷リブ（１０３）と凹部構造（１０４）が円環リブ構造（１０２）に設けられたものであり、前記円環リブ構造（１０２）の外側に複数の留め部構造（１０５）があり、円環リブ構造（１０２）の外周にはより大きな円環構造（１０６）があり、円環構造（１０６）には複数のより高い位置にある位置決めリブ（１０７）がる、ことを特徴とする請求項１又は２のいずれか一項に記載のノブ装置。
【請求項１０】
前記リール（４）の上部中央部に環形リブ（４０１）があり、前記環形リブ（４０１）には幾つかの係合構造があり、リール（４）の係合構造に設けられた固定構造は突起構造（４０３）であり、前記リール（４）の係合構造は第２負荷リブ（４０２）であり、前記突起構造（４０３）は第２負荷リブ（４０２）に設けられる、ことを特徴とする請求項１又は２のいずれか一項に記載のノブ装置。
【請求項１１】
前記ベース（５）には、リールハウジング（３）の大小２つの第１突起留め部（３１０）及び第２突起留め部（３０９）に適合する大小２つの第１留め部（５０１）及び第２留め部（５０２）がある、ことを特徴とする請求項１、２、３、４、５、６又は８のいずれか一項に記載のノブ装置。
【請求項１２】
前記ベース（５）は、アッパーの側面又はベロの上面に縫い付けられ、ノブ（１）の内側の円周に留め部（１０１）が設けられ、リールハウジング（３）の円周に複数の角孔（３０７）が設けられ、リールハウジング（３）の外側の円の下部に複数の第１紐通し孔（３０８）があり、リール（４）の中央部にワイヤ溝（４０６）があり、リールハウジング（３）には∪形溝が設けられ、かつ第１紐通し孔（３０８）は前記∪形溝内に実装され、リール（４）の底部に第２紐通し孔（４０４）が設けられ、リール（４）の底部中央にカウンタボア構造（４０５）がある、ことを特徴とする請求項１、２、３、４、５、６又は８のいずれか一項に記載のノブ装置。
【請求項１３】
前記係止ギヤ端面位置（２０２）は右方向に傾斜し、ラチェット爪ギヤ端面位置（３０３）の円周ギヤ（３１１）と接触する面は、係止ギヤ端面位置（２０２）とは逆方向に傾斜する、ことを特徴とする請求項３又は５のいずれか一項に記載のノブ装置。
【考案の詳細な説明】
【技術分野】
【０００１】
本考案は、ロープや紐の締まり及び緩みの技術の分野に関し、特に、ロープ又はワイヤーロープを使用するノブ装置に関する。
【背景技術】
【０００２】
従来の靴紐の結び方は、通常、両手で同時に操作する必要があり、速度が遅い。腰を屈めてしゃがむのに時間がかかり、人体の不快感が増加する。特に、寒い冬に、厚手の服を着ていると、靴紐を結ぶことは大変なことになる。また、靴紐を結ぶ通常の方法は、締まり具合の調節が容易ではなく、足の甲の感じを悪くして、緩くなったり、きつくなったりする。適度な締まり具合に調節するのは手間がかかり、老人と子供にとってはさらに難しくなる。また、靴紐は緩みやすい。歩く時に緩んだ靴紐はもう一方の足で踏まれてバランスを失い、安全上の事故を引き起こす可能性がある。
【０００３】
上記の技術的問題については、上記の技術的問題を克服できる既存の技術特許が知られている。それは、紐結び装置及びその制御アッセンブリ（出願番号：ＣＮ２０１８２０６８４５７９．１、出願日：２０１８０５０９、公開日：２０１９０１２２）を開示している。紐結び装置の制御アッセンブリは、「円周ギヤ及び第１端面ギヤを有するノブであって、固定孔が設けられたノブと、内部にラチェット爪が取り付けられ、且つ前記ノブ内に部分的に配置されたラチェット爪リールハウジングと、突起回転軸及び第２端面ギヤが設けられたリールを含み、前記リールは前記ラチェット爪リールハウジング内に配置され、前記突起回転軸は、前記ラチェット爪リールハウジングを通過して前記ノブの位置決め孔に挿入され、前記ノブは前記リールを回転させ．．．前記紐通し部品はアッパーに配置され、前記制御アッセンブリはアッパーの側面又はベロに配置され」、回転キャップによってリールを回転させ、巻線を締めてアッパーの締まり具合を調整することで、靴紐を速く結ぶことを実現する。しかしながら、回転キャップによってリールを回転させるこの靴紐結び装置は、反時計回りに回転できるように回転キャップを押すか又は引き上げる必要があり、いつでも反時計回りに回転するのを防ぐことができるとは限らない。回転キャップによってリールを回転させる既存の靴紐結び装置におけるリールは、自由回転ができないため、ユーザーは靴紐をより簡単に調整できず、靴紐を緩める目的を達成できない。
【考案の概要】
【０００４】
本考案は、上記の背景で提示された問題を解決して、ノブ装置を提供することを目的とする。
【０００５】
上記の目的を実現するために、本考案は次の技術的解決手段を提供する。ノブ装置であって、ノブ、リールハウジング、リール、ベース及び靴紐を含む。ベースは、アッパーの側面又はベロの上面に縫い付けられる。ノブの内側の円周に留め部が設けられる。リールハウジングの円周に複数の角孔が設けられる。リールハウジングの外側の円の下部に２つの第１紐通し孔があり、リールハウジングには∪形溝が設けられ、第１紐通し孔は∪形溝に実装される。リールの中央部にワイヤ溝がある。リールの底部に第２紐通し孔が設けられる。リールの底部の中央にカウンタボア構造がある。ギヤリングがさらに含まれる。ギヤリングには、ギヤリングの回転を阻止できる係止ギヤが設けられる。リールハウジングには、ギヤリングに設けられた係止ギヤに対応する阻止機構が設けられる。ノブとリールの両方に、ノブとリールを押して回転させ得る係合構造が設けられる。ノブの係合構造には凹部構造が設けられ、リールの係合構造には凹部構造に対応する突起構造が設けられる。
【０００６】
好ましくは、前記ノブ、ギヤリング、リールハウジング、リール及びベースの組み合わせによりノブ装置が構成される。
【０００７】
好ましくは、前記ギヤリングはラチェットギヤリングであり、係止ギヤはラチェットギヤであり、ラチェットギヤリングの外周には幾つかのラチェットギヤがあり、ラチェットギヤリングには幾つかの位置決め孔が設けられ、ラチェットギヤリングの中心に円心が設けられ、円心の周りはギヤリング面であり、前記ラチェットギヤがラチェット爪ギヤのラチェット爪ギヤ端面位置と接触する面は、係止ギヤ端面位置である。
【０００８】
好ましくは、前記リールハウジングはラチェット爪リールハウジングであり、前記ラチェット爪リールハウジングの阻止機構は、ラチェット爪アーム、ラチェット爪ギヤ及びラチェット爪ギヤ端面位置により構成され、前記ラチェット爪リールハウジングの係止ギヤはラチェット爪ギヤであり、前記ラチェット爪アームの頭部にラチェット爪ギヤがあり、ラチェット爪ギヤの底面には、ラチェット爪アームの位置決めに使用される位置決めシリンダ及び位置決めシリンダに適合する位置決め孔がある。
【０００９】
好ましくは、前記ギヤリングはラチェット爪リングであり、ラチェット爪リングには幾つかの爪アームが設けられ、前記爪アームの根元部はラチェット爪リングに接続され、爪アームの末端にラチェットギヤ歯があり、前記爪アームとラチェットギヤ歯はラチェット爪リングの係止ギヤを構成し、ラチェット爪リングには幾つかの位置決め孔が設けられ、ラチェット爪リングの中心に円心が設けられ、円心の周りはギヤリング面であり、前記爪アームが円周ギヤと接触する面は、係止ギヤ端面位置である。
【００１０】
好ましくは、前記リールハウジングは円周ギヤリールハウジングであり、前記円周ギヤリールハウジングの上部に１周の円周ギヤがあり、前記円周ギヤは円周ギヤリールハウジングの阻止機構である。
【００１１】
好ましくは、前記リールハウジングの外側の円エッジには１周の突起した円エッジがあり、前記リールハウジングの外側の円の下部には、大小２つの外向きの第１突起留め部及び第２突起留め部が設けられる。
【００１２】
好ましくは、前記ノブの係合構造は第１負荷リブであり、ノブの係合構造に設けられた固定構造は凹部構造である。
【００１３】
好ましくは、前記ノブの内側の円の中心位置には、幾つかのセグメントに分割された円環リブ構造があり、前記ノブの係合構造は、第１負荷リブと凹部構造が円環リブ構造に設けられたものであり、前記円環リブ構造の外側に複数の留め部構造があり、円環リブ構造の外周にはより大きな円環構造があり、円環構造には複数のより高い位置にある位置決めリブがある。
【００１４】
好ましくは、前記リールの上部中央部に環形リブがあり、前記環形リブには幾つかの係合構造があり、リールの係合構造に設けられた固定構造は突起構造であり、前記リールの係合構造は第２負荷リブであり、前記突起構造は第２負荷リブに設けられる。
【００１５】
好ましくは、前記ベースには、リールハウジングの大小２つの第１突起留め部及び第２突起留め部に適合する大小２つの第１留め部及び第２留め部がある。
【００１６】
好ましくは、前記係止ギヤ端面位置は右方向に傾斜し、ラチェット爪ギヤ端面位置の円周ギヤと接触する面は、係止ギヤ端面位置とは逆方向に傾斜する。
【００１７】
本考案は、次の有益な効果を有するノブ装置を提供する。
１、本出願の構造は、反転防止の信頼性を大幅に向上させる。信頼性がより高い。リールハウジングのラチェット爪アームが逆方向に力を受けると、ラチェット爪アームも遠心方向に変形し、ラチェット爪アームのラチェット爪ギヤはラチェットギヤと密着し、円周ギヤは爪アームのラチェットギヤ歯と密着する。ラチェット爪アームとラチェットギヤ及び円周ギヤとラチェットギヤ歯の受力状態は非常に理想的であるので、逆方向に力を受けた場合のこの構造の信頼性がより高くなる。
【００１８】
２、本出願の構造は、反転防止の強度を向上させる。ラチェット爪ギヤ及び円周ギヤがそれぞれラチェットギヤ及びラチェットギヤ歯と逆方向に力を受けるとき、ラチェット爪ギヤはラチェットギヤと密着し、ラチェット爪アームもラチェットギヤに密着し、ラチェットギヤ歯も円周ギヤに密着し、爪アームも円周ギヤに密着する。これらは力を受けるときに一体になり、構造に対して大きな強化効果を果たし、構造がさらに大きな負荷に耐えることを可能にする。
【００１９】
３、本出願の構造を使用する際に発生する音は濁った音からクリアな音になる。新構造の音はよりクリアで耳に心地よく、人に精密でハイエンドな感じを与え、消費者の製品に対する認知度を高める。ノブが回転すると、発生する「カチッカチッ」という音は、ラチェット爪ギヤ及び円周ギヤがそれぞれラチェットギヤ及びラチェットギヤ歯と衝突する音からのものである。異なる音の効果が消費者に異なる感覚を与える。それにより、製品に対して異なる信頼度が生じる。本出願の構造が逆方向に力を受けるときに、ラチェット爪ギヤと円周ギヤ及びラチェットギヤとラチェットギヤ歯は合理的な受力状態にあり、ラチェット爪ギヤ及び円周ギヤがそれぞれラチェットギヤ及びラチェットギヤ歯と衝突する力は比較的小さく、発生する音は軽くてクリアで、消費者の体験と製品に対する認知度を高めることができる。
【００２０】
４、本出願の構造は時計回りに回転してワイヤを巻き取るときの強度と信頼性が倍増して向上する。本出願の構造は、回転噛み合いとして、リールに全周の突起構造及びノブに全周の凹部構造を採用することで、さらに大きな負荷に耐えることができる。同時に、噛み合いの深さは既存の市場のノブ装置よりも３倍深く、製品の使用の信頼度が大幅に向上する。
【００２１】
５、本出願の構造は、様々な噛み合い力を調節することができる。本出願の構造には突起と凹部リブが複数あり、相互の噛み合いの異なる強度の調節を便利にし、様々な製品の噛み合い力の要求に適応する。
【００２２】
６、本出願の構造は製品全体の高さを低くすることができ、消費者の使用に便利であり、外観のレベルも大幅に向上する。
【００２３】
７、本出願の構造により、ノブ装置全体が自由に回転するようになる。係止ギヤ端面位置が右方向に傾斜し、ラチェット爪ギヤ端面位置の円周ギヤとの接触面が係止ギヤ端面位置とは逆方向に傾斜するように設計することにより、ノブとラチェット爪リール及びリールとを離間状態にすることができ、ノブが自由に回転できる効果を実現する。
【００２４】
上述のように、本出願の装置は、紐の締め具合を調節するための他の分野でも使用することができ、ヘルメット、バッグ、衣類及び医療機器の分野でも広く使用されている。
【図面の簡単な説明】
【００２５】
【図１】本考案の全体的な分解構造模式図である。
【図２】本考案のノブの背面構造模式図である。
【図３】本考案の実施例１に係るギヤリングの正面構造模式図である。
【図４】本考案の実施例１に係るギヤリングの裏面構造模式図である。
【図５】本考案の実施例１に係るリールハウジングの正面構造模式図である。
【図６】本考案の実施例１に係るリールハウジングの裏面構造模式図である。
【図７】本考案の実施例２に係るギヤリングの正面構造模式図である。
【図８】本考案の実施例２に係るギヤリングの裏面構造模式図である。
【図９】本考案の実施例２に係るリールハウジングの正面構造模式図である。
【図１０】本考案の実施例２に係るリールハウジングの底面構造模式図である。
【図１１】本考案のリールの裏面構造模式図である。
【図１２】本考案のリールの正面構造模式図である。
【図１３】本考案のリールの裏面構造模式図である。
【図１４】本考案のベースの正面構造模式図である。
【図１５】本考案のベースの裏面構造模式図である。
【考案を実施するための形態】
【００２６】
以下、本考案の実施例の添付図面を参照しながら、本考案の実施例の技術的解決手段を明確かつ完全に説明する。当然のことながら、ここで説明する実施例は本考案の実施例の全てではなく一部にすぎない。本考案の実施形態に基づいて、当該分野の通常の技術者が創造的労働を果たさずに得られたすべての実施形態は、本考案の保護範囲に属するべきであると理解しなければならない。
【００２７】
図１、２、３、４、５、６、１１、１２、１３、１４を参照されたい。本考案の実施例１では、
本考案のノブ装置は、ノブ１、ラチェットギヤリング２、ラチェット爪リールハウジング３、リール４及びベース５を含む。
【００２８】
図２を参照されたい。ノブ１の内側の円周に３つの留め部１０１がある。内側の円の中心位置には、幾つかのセグメントに分割された円環リブ構造１０２がある。円環リブ構造１０２には第１負荷リブ１０３及び凹部構造１０４がある。円環リブ構造１０２の外側に３つの留め部構造１０５がある。円環リブ構造１０２の外周にはより大きな円環構造１０６がある。円環構造１０６には３つのより高い位置にある位置決めリブ１０７がある。
【００２９】
図３及び図４を参照されたい。ラチェットギヤリング２の外周には幾つかのラチェットギヤ２０１がある。ラチェットギヤリング２の片側はギヤ端面位置２０２である。リングには幾つかの位置決め孔２０３がある。ラチェットギヤリング２の中心には円心２０４が設けられ、円心２０４の周りはギヤリング面２０５である。係止ギヤ端面位置２０２は右方向に傾斜し、ラチェット爪ギヤ端面位置３０３は係止ギヤ端面位置２０２とは逆方向に傾斜する。
【００３０】
図５及び図６を参照されたい。ラチェット爪リールハウジング３は３つのラチェット爪アーム３０１を有する。ラチェット爪アーム３０１の頭部にはラチェット爪ギヤ３０２があり、ラチェット爪ギヤ３０２の他方側はラチェット爪ギヤ端面位置３０３である。ラチェット爪ギヤ３０２の反対側に突起したリブ３１１がある。ラチェット爪ギヤ３０２の底面には、ラチェット爪アーム３０１を位置決めするための位置決めシリンダ３０５がある。位置決めシリンダ３０５に適合する位置決め孔３０４がある。ラチェット爪リールハウジング３の外側の円エッジに突起した円エッジ３０６があり、円周に構造の突起リブ３１１位置に対応する３つの角孔３０７がある。ラチェット爪リールハウジング３の外側の円の下部に２つの第１紐通し孔３０８があり、ラチェット爪リールハウジング３には∪形溝が設けられ、かつ第１紐通し孔３０８は∪形溝に実装され、∪形溝とノブの組合によりノブの上下位置決め効果を達し、また大小２つの外側に突起した第１突起留め部３１０と第２突起留め部３０９がある。
【００３１】
図１１及び図１２を参照されたい。リール４の上部の中央部に環形リブ４０１がある。環形リブ４０１には幾つかの第２負荷リブ４０２がある。第２負荷リブ４０２には突起構造４０３がある。リール４の中央部にワイヤ溝４０６があり、底部に第２紐通し孔４０４があり、底部の中央にカウンタボア構造４０５がある。上部リール４の外周と下部リール４の外周には∪形溝が設けられる。
【００３２】
図１３及び図１４を参照されたい。ベース５には、リールハウジング３の大小２つの第１突起留め部３１０及び第２突起留め部３０９に適合する大小２つの第１留め部５０１及び第２留め部５０２がある。
【００３３】
本考案のノブ装置の信頼性はより高く、ラチェット爪リールハウジングのラチェット爪アームが逆方向に力を受けると、ラチェット爪アームも遠心方向に変形し、ラチェット爪アームのラチェット爪ギヤはラチェットギヤと密着する。ラチェット爪アームとラチェットギヤの受力状態が非常に理想的であるので、逆方向に力を受けた場合のこの構造の信頼性がより高くなる。ラチェット爪ギヤ及びラチェットギヤが逆方向に力を受けるとき、ラチェット爪ギヤはラチェットギヤと密着し、ラチェット爪アームもラチェットギヤに密着する。これらは力を受けるときに一体になり、構造に対して大きな強化効果を果たし、構造がさらに大きな負荷に耐えることを可能にする。新構造の音は更にクリアで耳に心地よく、精密で上品な感じを与え、消費者の製品に対する認知度を高めることができる。ノブが回転すると、発生する「カチッカチッ」という音は、ラチェット爪ギヤがラチェットギヤと衝突する音からのものである。異なる音の効果が消費者に異なる感覚を与える。それにより、製品に対して異なる信頼度が生じる。本出願の構造が逆方向に力を受けるときに、ラチェット爪ギヤ及びラチェットギヤは合理的な受力状態にあり、ラチェット爪ギヤがラチェットギヤと衝突する力は比較的小さく、発生する音は軽くてクリアで、消費者の体験と製品に対する認知度を高めることができる。
【００３４】
部品の組み立てプロセスは以下のとおりである。
ａ）ラチェットギヤリング２の中心の円心２０４をノブ１の中心の円環リブ構造１０２に位置合わせするとともに、ラチェットギヤリング２の位置決め孔２０３をノブの位置決めリブ１０７に位置合わせする。ラチェットギヤリング２とノブ１を対向させてしっかりと押し付け、「カチッ」という音を聞いて、ノブ１の複数の留め部構造１０５をラチェットギヤリング２のギヤリング面２０５に留める。このとき、ノブ１とラチェットギヤリング２は、ノブラチェットギヤリングアッセンブリと呼ばれる１つのアッセンブリを構成する。
【００３５】
ｂ）ラチェット爪リールハウジング３の３つのラチェット爪アーム３０１の位置決めシリンダ３０５を位置決め孔３０４内に引いて、ラチェット爪アーム３０１を位置決めする。ノブラチェットギヤリングアッセンブリをラチェット爪リールハウジング３に圧入する。圧入時にノブ１の複数の留め部１０１をラチェット爪リールハウジング３の外側の円エッジ３０６に留める。それらの間に隙間があり、簡単に回転することができる。この２つの部品は、組み立て後にノブラチェット爪リールハウジングアッセンブリになる。
【００３６】
ｃ）ノブラチェットギヤリングアッセンブリをラチェット爪リールハウジング３に圧入する。圧入時にノブ１の複数の留め部１０１をラチェット爪リールハウジング３の外側の円エッジ３０６に留める。それらの間に隙間があり、簡単に回転することができる。この２つの部品は、組み立て後にノブリールハウジングアッセンブリになる。
【００３７】
ｄ）リール４の環形リブ４０１をノブ１の円環リブ構造１０２構造に位置合わせする。この２つの部品の第１負荷リブ１０３と第２負荷リブ４０２を交差させて適合させた後、わずかな力で対向させてしっかりと押し付け、「カチッ」という音を聞いて、リール４の突起構造４０３をノブ１の凹部構造１０４に留める。このとき、ノブ１の第１負荷リブ１０３はリール４の第２負荷リブ４０２と一緒に構造化され、ラチェットギヤリング２の係止ギヤ２０１もラチェット爪リールハウジング３のラチェット爪ギヤ３０２と噛み合う。
【００３８】
ｅ）ノブ１を回転させてリール４を適切な位置に回転させて、リール４の第２紐通し孔４０４とラチェット爪リールハウジング３の第１紐通し孔３０８を一直線にする。第１紐通し孔３０８から適当な径の靴紐を通し、リール４の第２紐通し孔４０４に通して、紐先を引き出す。他端の紐先を同様にラチェット爪リールハウジング３の別の第１紐通し孔３０８及びリール４の別の第２紐通し孔４０４に通し、紐先を引き出す。２つの紐先を結び合わせた結び目をカウンタボア４０５に圧入する。
【００３９】
ｆ）上記のように靴紐を通したアッセンブリをベース５に取り付ける。取り付け方法は、まず、アッセンブリのラチェット爪リールハウジング３の大きな第１留め部３１０をベース５の大きな第１留め部５０１に取り付け、次に、ラチェット爪リールハウジング３の小さな第２留め部３０９をベース５の小さな第２留め部５０２に圧入して、部品全体の組み立てを完了する。
【００４０】
機能の具体的な実施形態は以下のとおりである。
靴紐を締める。ノブ１アッセンブリをベース５の方向にわずかな力で押すと、「カチッ」という音が聞こえ、ノブ１とラチェット爪リールハウジング３及びリール４とを組み合わせ状態にする。このプロセスでは、リール４の突起構造４０３はノブ１の凹部構造１０４に圧入され、ノブ１の中心の円環リブ構造１０２とリール４の環形リブ４０１構造は組み合わせられ、円環リブ構造１０２の第１負荷リブ１０３とリールの第２負荷リブ４０２とは交差して噛み合い、ラチェットギヤリング２の係止ギヤ２０１とラチェット爪リールハウジング３のラチェット爪ギヤ３０２とも噛み合い状態にある。ノブを時計回りに回転させると、ラチェットギヤリング２の係止ギヤ２０１は、ラチェット爪リールハウジング３のラチェット爪ギヤ３０２を乗り越えることができる。しかしながら、回転中は、常にラチェット爪リールハウジング３における１つのラチェット爪ギヤ３０２のラチェット爪ギヤ端面位置３０３は、ラチェットギヤリング２の係止ギヤ２０１の係止ギヤ２０１端面位置２０２に対向しており、そして、いつでも反時計回りの回転を阻止するためにそれを押さえる。ノブ１の第１負荷リブ１０３は、リールの第２負荷リブ４０２を押して一緒に回転させて、リール４を時計回りに回転させる。リール４の中央のカウンタボア４０５内の靴紐の結び目は、靴紐をリールワイヤ溝４０６に引き込んで靴紐を締め付けることにより、靴紐を締め付ける目的を達成する。
【００４１】
靴紐を緩める。ノブ１をベース５から離れる方向にわずかな力で引くと、「カチッ」という音が聞こえ、ノブ１をラチェット爪リールハウジング３及びリール４と離れた状態にする。このプロセスで、リール４の突起構造４０３はノブ１の凹部構造１０４から外れ、ラチェットギヤリング２のラチェットギヤ２０１とラチェット爪リールハウジング３のラチェット爪ギヤ３０２とは非接触となり、ノブ１の第１負荷リブ１０３とリールの第２負荷リブ４０２とも非接触となる。リール４は円周方向に自由な状態となり、自由に回転することができる。靴紐をワイヤ溝から容易に引き出すことができ、靴紐を緩める目的を達成することができる。
【００４２】
図２、７、８、９、１０、１１、１２、１３、１４を参照されたい。本考案の実施例２では、
本考案のノブ装置は、ノブ１、ラチェット爪リング、円周ギヤリールハウジング３、リール４及びベース５を更に含むことができる。
【００４３】
図２を参照されたい。ノブ１の内側の円周に３つの留め部１０１がある。内側の円の中心位置には、幾つかのセグメントに分割された円環リブ構造１０２がある。円環リブ構造１０２には第１負荷リブ１０３及び凹部構造１０４がある。円環リブ構造１０２の外側に３つの留め部構造１０５がある。円環リブ構造１０２の外周にはより大きな円環構造１０６がある。円環構造１０６には３つのより高い位置にある位置決めリブ１０７がある。
【００４４】
図７及び図８を参照されたい。ラチェット爪リングは３つの爪アーム２０６を有する。爪アーム２０６の根元部はラチェット爪リングに接続され、末端にラチェットギヤ歯２０７を有する。爪アーム２０６の片側はギヤ端面位置２０２である。ラチェット爪リングには複数の凹槽２０３がある。ラチェット爪リングの中心に円心２０４が設けられ、円心２０４の周りはギヤリング面２０５である。係止ギヤ端面位置２０２は右方向に傾斜し、円周ギヤ３１１の接触面は係止ギヤ端面位置２０２とは逆方向に傾斜する。
【００４５】
図９及び図１０を参照されたい。円周ギヤリールハウジング３の上部に１周の円周ギヤ３０１がある。上部の外側の円エッジに１周の突起した円エッジ３０６がある。外側の円の下部に２つの第１紐通し孔３０８があり、ラチェット爪リールハウジング３には∪形溝が設けられ、かつ第１紐通し孔３０８は∪形溝に実装され、∪形溝とノブの組合によりノブの上下位置決め効果を達し、また、大小２つの外側に突起した第１突起留め部３１０及び第２突起留め部３０９がある。上部リール４の外周と下部リール４の外周には∪形溝が設けられる。
【００４６】
図１１及び図１２を参照されたい。リール４の上部の中央部に環形リブ４０１がある。環形リブ４０１には幾つかの第２負荷リブ４０２がある。第２負荷リブ４０２には突起構造４０３がある。リール４の中央部にワイヤ溝４０６があり、底部に第２紐通し孔４０４があり、底部の中央にカウンタボア構造４０５がある。
【００４７】
図１３及び図１４を参照されたい。ベース５には、リールハウジング３の大小２つの第１突起留め部３１０及び第２突起留め部３０９に適合する大小２つの第１留め部５０１及び第２留め部５０２がある。
【００４８】
本考案のノブ装置の信頼性はより高く、円周ギヤリールハウジングの円周ギヤが逆方向に力を受けると、円周ギヤは爪アームのラチェットギヤ歯と密着する。円周ギヤとラチェットギヤ歯の受力状態は非常に理想的であるので、逆方向に力を受けた場合のこの構造の信頼性がより高くなる。円周ギヤとラチェットギヤ歯が逆方向に力を受けるとき、ラチェットギヤ歯も円周ギヤと密着し、爪アームも円周ギヤに密着する。これらは力を受けるときに一体になり、構造に対して大きな強化効果を果たし、構造がさらに大きな負荷に耐えることを可能にする。新構造の音は更にクリアで耳に心地よく、精密で上品な感じを与え、消費者の製品に対する認知度を高めることができる。ノブが回転すると、発生する「カチッカチッ」という音は、円周ギヤがラチェットギヤ歯と衝突する音からのものである。異なる音の効果が消費者に異なる感覚を与える。それにより、製品に対して異なる信頼度が生じる。本出願の構造が逆方向に力を受けるときに、円周ギヤ及びラチェットギヤ歯は合理的な受力状態にあり、円周ギヤがラチェットギヤ歯と衝突する力は比較的小さく、発生する音は軽くてクリアで、消費者の体験と製品に対する認知度を高めることができる。
【００４９】
部品の組み立てプロセスは以下のとおりである。
ａ）ラチェット爪リングの中心の円心２０４をノブ１の中心の円環リブ構造１０２に位置合わせするとともに、ラチェット爪リングの凹溝構造２０３をノブの位置決めリブ１０７に位置合わせする。ラチェット爪リングとノブ１を対向させてしっかりと押し付け、「カチッ」という音を聞いて、ノブ１の３つの留め部構造１０５をラチェット爪リングの円周位置２０５に留める。このとき、ノブ１とラチェット爪リングは、ノブラチェット爪リングアッセンブリと呼ばれる１つのアッセンブリを構成する。
【００５０】
ｂ）ノブラチェット爪リングアッセンブリを円周ギヤリールハウジング３に圧入する。圧入時にノブの３つの留め部１０１を円周ギヤリールハウジング３の外側の円エッジ３０６に留める。それらの間に隙間があり、簡単に回転することができる。この新たなアッセンブリは、ノブ円周ギヤリールハウジングアッセンブリと呼ばれる。
【００５１】
ｃ）リール４の環形リブ４０１をノブ１の円環リブ構造１０２に位置合わせする。この２つの部品の第１負荷リブ１０３と第２負荷リブ４０２を交差させて適合させた後、わずかな力で対向させてしっかりと押し付け、「カチッ」という音を聞いて、リール４の突起構造４０３をノブ１の凹部構造１０４に留める。このとき、ノブ１の第１負荷リブ１０３はリール４の第２負荷リブ４０２と一緒に構造化され、ラチェット爪リングのラチェットギヤ２０２も円周ギヤリールハウジング３の円周ギヤ３０１と噛み合う。
【００５２】
ｄ）ノブを回転させてリール４を適切な位置に回転させて、リール４の第２紐通し孔４０４と円周ギヤリールハウジング３の第１紐通し孔３０８を一直線にする。第１紐通し孔３０８から適当な径の靴紐を通し、リール４の第２紐通し孔４０４に通して、紐先を引き出す。他端の紐先を同様に円周ギヤリールハウジング３の別の第１紐通し孔３０８及びリール４の別の第２紐通し孔４０４に通し、紐先を引き出す。２つの紐先を結び合わせた結び目をカウンタボア４０５に圧入する。
【００５３】
ｅ）上記のように靴紐を通したアッセンブリをベース５に取り付ける。取り付け方法は、まず、アッセンブリの円周ギヤリールハウジング３の大きな第１留め部３１０をベース５の大きな第１留め部５０１に取り付け、次に、円周ギヤリールハウジング３の小さな第２留め部３０９をベース５の小さな第２留め部５０２に圧入して、部品全体の組み立てを完了する。
【００５４】
機能の具体的な実施形態は以下のとおりである。
靴紐を締める。ノブアッセンブリをベースの方向にわずかな力で押すと、「カチッ」という音が聞こえ、ノブ１と円周ギヤリールハウジング３及びリール４とを組み合わせ状態にする。このプロセスでは、リール４の突起構造４０３はノブ１の凹部構造１０４に圧入され、ノブ１の中心の円環リブ構造１０２とリール４の環形リブ４０１構造は組み合わせられ、円環リブ構造１０２の第１負荷リブ１０３とリールの第２負荷リブ４０２とは交差して噛み合い、ラチェット爪リングのラチェットギヤ歯２０７と円周ギヤリールハウジング３の円周ギヤ３０１とも噛み合い状態にある。ノブを時計回りに回転させると、ラチェット爪リングのラチェットギヤ歯２０７は、円周ギヤリールハウジング３の円周ギヤ３０１を乗り越えることができる。しかしながら、回転中は、常に円周ギヤリールハウジング３における１つの円周ギヤ３０１の端面は、ラチェット爪リングのラチェットギヤ歯２０７のギヤ端面位置２０２に対向しており、そして、いつでも反時計回りの回転を阻止するためにそれを押さえる。ノブ１の第１負荷リブ１０３は、リールの第２負荷リブ４０２を押して一緒に回転させて、リール４を時計回りに回転させる。リール４の中央のカウンタボア４０５内の靴紐の結び目は、靴紐をリールのワイヤ溝４０６に引き込んで靴紐を締め付けることにより、靴紐を締め付ける目的を達成する。
【００５５】
靴紐を緩める。ノブ１をベース５から離れる方向にわずかな力で引くと、「カチッ」という音が聞こえ、ノブ１を円周ギヤリールハウジング３及びリール４と離れた状態にする。このプロセスで、リール４の突起構造４０３はノブ１の凹部構造１０から外れ、ラチェット爪リングのラチェットギヤ歯２０７と円周ギヤリールハウジング３の円周ギヤ３０１とは非接触となり、ノブ１の第１負荷リブ１０３とリール４の第２負荷リブ４０２とも非接触となる。リール４は円周方向に自由な状態となり、自由に回転することができる。靴紐をワイヤ溝から容易に引き出すことができ、靴紐を緩める目的を達成することができる。
【図１】
0003230163.tif 000003
【図２】
0003230163.tif 000004
【図３】
0003230163.tif 000005
【図４】
0003230163.tif 000006
【図５】
0003230163.tif 000007
【図６】
0003230163.tif 000008
【図７】
0003230163.tif 000009
【図８】
0003230163.tif 000010
【図９】
0003230163.tif 000011
【図１０】
0003230163.tif 000012
【図１１】
0003230163.tif 000013
【図１２】
0003230163.tif 000014
【図１３】
0003230163.tif 000015
【図１４】
0003230163.tif 000016
【図１５】
0003230163.tif 000017